(57)【要約】      （修正有）【課題】着用中における美観の向上を図った運動靴、婦人靴、紳士靴、児童用靴、安全靴等々の履物を提供する。【解決手段】表底を構成するミッドソール２０及びアウトソール２１と、甲被を構成するアッパー１０、トゥ１１、ヒール１２、補助部材１３等とを備え、表底の側面及び前記甲被の表面の全部又は一部に、紫外線変色領域としての装飾体３０、４０ａ、４０ｂ、５０ａ〜５０ｄを形成する。【選択図】図１
0003170100.tif 000002
【実用新案登録請求の範囲】
【請求項１】
表底と、
甲被とを備え、
前記表底の側面及び前記甲被の表面の全部又は一部に、紫外線変色領域が形成されている、履物。
【請求項２】
前記紫外線変色領域は、前記表底の側面又は前記甲被の表面に設けられた所定の形状を有する基材の表面に塗布された紫外線変色着色料により形成されている、請求項１に記載の履物。
【請求項３】
前記紫外線変色領域は、前記表底の側面又は前記甲被の表面に塗布された紫外線変色着色料により形成されているものである、請求項１に記載の履物。
【請求項４】
前記基材の表面、前記表底の側面又は前記甲被の表面の色は、紫外線により変色した前記紫外線変色着色料の色よりも、明度及び彩度の少なくともいずれか一方が低い、請求項２又は３に記載の履物。
【請求項５】
前記甲被の表面又は前記表底の側面における前記紫外線変色領域は、内側面よりも外側面のほうに多く形成されている、請求項１から４のいずれかに記載の履物。
【考案の詳細な説明】
【技術分野】
【０００１】
本考案は、例えば運動靴のような履物に関する。
【背景技術】
【０００２】
従来から、スニーカーに代表される運動靴はその目的に限定されず日常的に広く用いられており、機能性のみならず、使用者の美感に訴える装飾性も重視されている。
【０００３】
そのような履物の一例として、特許文献１には、甲被の一部である踵、爪先等の部分を銀面付人工皮革により作成し、強度を確保するとともに美感にも考慮した構成が開示されている。
【先行技術文献】
【特許文献】
【０００４】
【特許文献１】実開平０３−００４７０５号公報
【考案の概要】
【考案が解決しようとする課題】
【０００５】
しかしながら、上記従来の技術に例示されるような運動靴には、以下のような課題があった。すなわち、運動靴の表面の装飾は、革靴その他の靴と同様、主に甲被に模様を付す、着色を施す、又は装飾品を取り付ける等の各種手法によりなされるが、その視覚的な効果は当然使用環境に拠らず一様であり、より効果的に美感を向上させる技術が求められるようになっている。
【０００６】
本考案は、上記の課題に鑑みてなされたものであり、特に着用中における美感の向上を図ることが可能な履物を提供することを目的とする。
【課題を解決するための手段】
【０００７】
上記の目的を達成するために、本考案の第１の側面は、表底と、
甲被とを備え、
前記表底の側面及び前記甲被の表面の全部又は一部に、紫外線変色領域が形成されている、履物である。
【０００８】
又、本考案の第２の側面は、前記紫外線変色領域は、前記表底の側面又は前記甲被の表面に設けられた所定の形状を有する基材の表面に塗布された紫外線変色着色料により形成されている、本考案の第１の側面の履物である。
【０００９】
又、本考案の第３の側面は、前記紫外線変色領域は、前記表底の側面又は前記甲被の表面に塗布された紫外線変色着色料により形成されているものである、本考案の第１の側面の履物である。
【００１０】
又、本考案の第４の側面は、前記基材の表面、前記表底の側面又は前記甲被の表面の色は、紫外線により変色した前記紫外線変色着色料の色よりも、明度及び彩度の少なくともいずれか一方が低い、本考案の第２又は第３の側面の履物である。
【００１１】
又、本考案の第５の側面は、前記甲被の表面又は前記表底の側面における前記紫外線変色領域は、内側面よりも外側面のほうに多く形成されている、本考案の第１から第４のいずれかの側面の履物である。
【考案の効果】
【００１２】
本考案によれば、特に着用中における美感の向上を図ることが可能な履物を提供することができる。
【図面の簡単な説明】
【００１３】
【図１】本考案の実施の形態に係る運動靴の外側面図である。
【図２】本考案の実施の形態に係る運動靴の内側面図である。
【図３】本考案の実施の形態に係る運動靴の平面図である。
【図４】（ａ）本考案の実施の形態に係る運動靴の正面図である。（ｂ）本考案の実施の形態に係る運動靴の背面図である。
【図５】（ａ）本考案の実施の形態に係る運動靴の作用効果を説明するための図である。（ｂ）本考案の実施の形態に係る運動靴の作用効果を説明するための図である。（ｃ）本考案の実施の形態に係る運動靴の構成を示す要部断面図である。
【図６】（ａ）本考案の実施の形態に係る運動靴の他の構成例を示す平面図である。（ｂ）本考案の実施の形態に係る運動靴の他の構成例を示す平面図である。
【考案を実施するための形態】
【００１４】
以下、本考案の実施の形態を、図面を参照して説明する。
【００１５】
図１は、本考案の実施の形態に係る運動靴の外側面を示す側面図であり、図２は同運動靴の内側面を示す側面図であり、図３は、同運動靴の平面図である。
【００１６】
なお、以下の説明では、運動靴１において使用者の足に対して外向きとなる面を外側面と称し、内向きとなる面、すなわち他方の足と対向する側の面を内側面と称する。
【００１７】
各図に示すように、本実施の形態に係る運動靴１は、上部のアッパー１０、並びに下部のミッドソール２０及びアウトソール２１から主に構成される。足の甲を保護するアッパー１０は主に天然皮革、ナイロンメッシュのような合成繊維の織布、合成皮革等を甲材として作成される。足裏を保護するミッドソール２０は合成樹脂、合成ゴム、天然ゴム製等を原料とするスポンジ又はウレタンにより作成され、運動靴１の靴底部分であるアウトソール２１はミッドソール２０同様の素材により作成される。
【００１８】
又、運動靴１の上部には、アッパー１０の他、先端には足の爪先を保護するトゥ１１、後端部分には踵を保護するヒール１２が、それぞれ設けられる。更に、アッパー１０には靴紐１４を通すための孔が開口された補助部材１３及び砂よけとなるフラップ１５が設けられている。さらにフラップ１５及び補助部材１３の上部を蔽うように、足首近傍を固定するための面ファスナー１６が設けられている。
【００１９】
次に、図１及び図３に示すように、アッパー１０の外側面には装飾体３０が、アッパー１０の後端部及びヒール１２の外側面にかけては装飾体４０ａ及び４０ｂがそれぞれ設けられている。装飾体３０は、合成皮革、合成樹脂等により作成され、平面形状に調製された基材部と、基材部の表面に後述する着色料を塗工してなる塗工面とを有する。装飾体４０ａ及び４０ｂも装飾体３０と同様の構成を有する。
【００２０】
更に、ミッドソール２０の側面には装飾体５０ａ、５０ｂ、５０ｃ、５０ｄが設けられている。装飾体５０ａ〜５０ｄはそれぞれ合成樹脂によって作成された、ミッドソール２０と別個の部材である。
【００２１】
又、図２及び図３に示すように、アッパー１０の内側面には、装飾体３０より表面積の小さな装飾体６０が、アッパー１０の後端部及びヒール１２の外側面には、装飾体４０ａ及び４０ｂとそれぞれ同一形状、同一面積の装飾体４１ａ及び４１ｂがそれぞれ設けられている。また、装飾体５０ａがミッドソール２０の内側面側に回り込んで形成されている。
【００２２】
以上の構成において、アッパー１０、トゥ１１、ヒール１２、補助部材１３、靴紐１４及びフラップ１５は本考案の甲被に相当する。又、ミッドソール２０及びアウトソール２１は本考案の表底に相当する。
【００２３】
このような構成を有する本考案の運動靴１は、装飾体３０、４０ａ、４０ｂ、４１ａ、４１ｂ、５０ａ〜５０ｄ及び６０が、紫外線によって変色することを特徴とする。
【００２４】
図５（ａ）は装飾体３０の構成を示す平面図であり、図５（ｃ）は図５（ａ）のＡ−Ａ直線による断面図である。
【００２５】
上記各図に示すように、装飾体３０は基材部３１と、基材部３１の平面形状と相似の形状を有する塗工面３２とを有する。塗工面３２は、基材部３１の表面に紫外線変色着色料を塗布することにより形成される。ここで紫外線変色着色料とは、通常は無色透明であるが一定量以上の紫外線の照射に応じて有色化する色素を含む着色料であり、塗料又は染料として用いられる。
【００２６】
運動靴１が保管又は屋内使用されている場合は、図５（ａ）に示すように、塗工面３２は透明であり、基材部３１の表面色を透過させる。一方、運動靴が屋外使用される場合は、塗工面３２は紫外線の照射を受けて有色化し、図５（ｂ）に示すように変色する。一旦変色した塗工面３２は、再び紫外線の照射が一定量以下の環境におかれた場合は、再び透明状態に復帰する。他の装飾体４０ａ、４０ｂ、４１ａ、４１ｂ、５０ａ〜５０ｄ及び６０も同様の機能を有する。なお、基材部３１その他の装飾体の基材部は、本考案の基材に相当し、塗工面３２その他の塗工面は、本考案の紫外線変色領域に相当する。
【００２７】
これにより、本考案の運動靴１は、屋外等の、紫外線を含む光に晒される環境下での使用においては、装飾体３０、４０ａ、４０ｂ、４１ａ、４１ｂ、５０ａ〜５０ｄ及び６０が変色する。変色後の各装飾体の色を、アッパー１０、ソール１２及びミッドソール２０の地色とのコントラストを強調できるようなものにあらかじめ設定しておくことにより、運動靴１の美感を際立たせることが可能となる。また、紫外線による変色は速やかになされるため、色むら等が目に付くことはない。
【００２８】
一方、屋内等、紫外線が一定量に満たない環境下では装飾体３０他の色彩は、その基材部３１の表面色と同色になる。したがって、装飾体３０他の地色、アッパー１０、ソール１２及びミッドソール２０の地色、及び紫外線変色着色料の変色時の色の３種類の色をそれぞれ組み合わせることによって、運動靴１の色彩上の意匠を、保管時又は屋内使用時と屋外使用時とで大幅に異ならせることができ、従来の運動靴には見られない動的な美感を与えることが可能となる。
【００２９】
このとき、装飾体３０においては、基材部３１の表面色と、塗工面３２の変色時の色との間では、基材部３１の表面色を淡く、塗工面３２の色をより濃い色とすることが望ましい。塗工面３２は変色後も一定の透過率を有し、基材部３１の表面色の影響を受けるためである。具体的には基材部３１としては白色、黄色系の色を用い、変色後の塗工面３２としては、赤色、青色、緑系の色を用いることが望ましい。しかしながら、これらはあくまで例示であり、変色後の塗工面３２の色は、明度及び彩度の少なくともいずれか一方が基材部３１の表面色より低ければ、本考案の効果は得られる。又、図１や図５（ａ）（ｂ）等においては、塗工面３２の形状は基材部３１の形状より一回り小さくとり、装飾体３０が輪郭を有するものとしたが、塗工面３２と基材部３１は同一形状、同一面積であってもよいことは言うまでもない。
【００３０】
又、図３並びに図４（ａ）の正面図及び（ｂ）背面図に示すように、運動靴１において、外側面に配置された装飾体３０、４０ａ、４０ｂ、５０ａ〜５０ｄと、内側面に配置された装飾体６０、４１ａ、４１ｂ、５０ａとの表面積の総計は、任意の比率でよいが、外側面側に配置されたもののほうを大きく取ることが望ましい。これにより、日光の照射を受けやすくして、運動靴１の美感をより効果的にアピールすることができる。
【００３１】
さらに、利用者が運動靴１の向上した美感を楽しむために、積極的に屋外における使用の機会（例えばスポーツ、トレーニングやレジャー）を持つことが期待され、結果として、利用者の健康にも寄与する効果も得られる。
【００３２】
なお、本実施の形態においては、アッパー１０上の装飾体３０の表面積を装飾体６０の表面積よりも大きくとり、ミッドソール２０の側面については、外側面側に装飾体５０ｂ〜５０ｄを更に設けることにより、表面積を異ならせることとしたが、装飾体の個数や大きさ、配置は任意であってよい。要するに、紫外線変色着色料の表面積は、外側面側のほうが内側面側よりも総量として大きければよく、その具体的な態様に限定されない。
【００３３】
又、本実施の形態においては、紫外線変色着色料は、アッパー１０やミッドソール２０上に、さらに別部材としての装飾体３０他を設けることによって、本考案の紫外線変色領域を形成するものとしたが、紫外線変色領域は、装飾体を介さず、直接運動靴１の表面上に形成してもよい。
【００３４】
図６（ａ）（ｂ）は、アッパー１０及びヒール１２に紫外線変色着色料を直接塗布することにより、装飾体３０、４０ａ、４０ｂ、４１ａ、４１ｂ、６０とそれぞれ同一平面形状の装飾領域１３０、１４０ａ、１４０ｂ、１４１ａ、１４１ｂ、１６０を形成した構成を示す平面図である。上述したように、紫外線変色着色料は保管時又は屋内使用時においては無色透明であるから、図６（ａ）において、その輪郭を仮想的に破線により示した各装飾領域はアッパー１０及びヒール１２と同色となり、目視することはできない。一方、屋外使用時においては、図６（ｂ）に示すように、各装飾領域は変色してアッパー１０及びヒール１２から明確に浮き上がって観察することが可能となる。なお、図６（ａ）（ｂ）には示されないが、ミッドソール２０側面の装飾体５０ａ〜５０ｄも、装飾領域１３０と同様、紫外線変色着色料の塗布のみにより構成された装飾領域とすることができる。
【００３５】
図６（ａ）（ｂ）に示す構成は、特に、運動靴１のアッパー１０その他の部分の外観の形状を変更することなく、その表面全体を装飾領域とすることができるため、未使用時と使用時との色彩の変更をより一層際立たせることができる効果を有する。なお、装飾領域の形成は紫外線変色着色料の塗布によるものとしたが、本考案における塗布とは、紫外線変色着色料の印刷、吹きつけ、染色その他の任意の着色技術を意味する。特に印刷により塗布を実現した場合は微細な模様、図形、文字、その他パターンを形成することができる。
【００３６】
なお、この構成においても、装飾体３０他を用いた場合と同様、装飾領域１３０他は変色後も一定の透過率を有し、アッパー１０その他の本考案の甲被又は表底の表面色の影響を受けるため、変色後の装飾領域１３０他の色は、明度及び彩度の少なくともいずれか一方が上記甲被又は表底の表面色より低くなることが望ましい。
【００３７】
なお、上記の説明においては、装飾体３０他又は装飾領域１３０他は主にアッパー１０の主面及びヒール１２近傍、及びミッドソール２０の側面踵寄りに設けるものとしたが、これらはあくまで例示であって、トゥ１１や補助部材１３、靴紐１４、フラップ１５、面ファスナー１６、アウトソール２１に設けてもよい。要するに、本考案の甲被及び表底に対応する場所であれば、全体又は任意の場所を紫外線変色領域としてよい。
【００３８】
又、上記の説明においては、本考案の履物の一例として運動靴を示したが、本考案の履物には、パンプスその他婦人靴、紳士靴、上履き等の児童用靴、安全靴、登山靴及びスキー靴その他各種スポーツ用シューズ、レインブーツ、長靴、サンダル、スリッパ、草履、並びに下駄等が含まれる。すなわち、装着時に足の甲を一部でも被覆する甲被と、足の裏を被覆する表底を有するものは本考案の履物に含まれ、その具体的な形状や用途によって限定されるものではない。
【００３９】
又、本考案は、使用者が紫外線変色領域の変色を目視することで、紫外線の有無の検知に利用できるため、日焼け対策に用いることができ、特に婦人靴又は婦人用運動靴としての実施に好適である。
【００４０】
要するに、本考案は、その要旨を逸脱しない範囲内であれば、上記実施の形態に種々の変更を加えた形態で実施してもよい。
【産業上の利用可能性】
【００４１】
以上のような本考案によれば、特に着用中における美感の向上を図ることが可能になるという顕著な効果を有し、一例としては、運動靴に好適である。
【符号の説明】
【００４２】
１  運動靴
１０  アッパー
１１  トゥ
１２  ヒール
１３  補助部材
１４  靴紐
１５  フラップ
１６  面ファスナー
２０  ミッドソール
２１  アウトソール
３０、４０ａ、４０ｂ、４１ａ、４１ｂ、５０ａ〜５０ｄ、６０  装飾体
【図１】
0003170100.tif 000003
【図２】
0003170100.tif 000004
【図３】
0003170100.tif 000005
【図４】
0003170100.tif 000006
【図５】
0003170100.tif 000007
【図６】
0003170100.tif 000008